(57)【特許請求の範囲】
【請求項１】
回転数センサを動作させるための方法であって、
前記回転数センサは、信号発生器リングと、信号受信器とを有し、
前記信号発生器リングは、当該信号発生器リングの周囲に交互の磁気配向で均等に分散配置された複数の磁石要素を有し、
前記信号受信器は、前記磁石要素の磁界を検出するための少なくとも２つのセンサ素子（ＳＬ，ＳＭ，ＳＲ）を有し、
前記センサ素子（ＳＬ，ＳＭ，ＳＲ）同士は、相互に均等な間隔をおいて配置されており、
前記センサ素子（ＳＬ，ＳＭ，ＳＲ）によって検出された磁界強度に依存して情報ビットを生成し、回転数情報信号として提供する、
方法において、
前記信号発生器リングの特定された回転数に依存して少なくとも１つの付加回転数情報信号を生成し、前記回転数情報信号に追加し、
前記付加回転数情報信号の電流強度は、前記回転数情報信号とは異なる、
ことを特徴とする方法。
【請求項２】
前記付加回転数情報信号を、特定された前記回転数が所定の限界回転数を上回るまでの間のみ生成する、
請求項１に記載の方法。
【請求項３】
前記付加回転数情報信号を、検出された前記磁界強度に依存して生成する、
請求項１又は２に記載の方法。
【請求項４】
前記回転数情報信号を生成するために、ＡＫプロトコルを使用する、
請求項１乃至３のいずれか一項に記載の方法。
【請求項５】
前記信号受信器は、３つのセンサ素子（ＳＬ，ＳＭ，ＳＲ）を有するように構成されており、
前記回転数情報信号の分解能を増加させるために、前記センサ素子（ＳＬ，ＳＭ，ＳＲ）の出力信号を相互に結合させる、
請求項１乃至４のいずれか一項に記載の方法。
【請求項６】
磁界強度の最大値を検出する毎に、１つの付加回転数情報信号を生成する、
請求項１乃至５のいずれか一項に記載の方法。
【請求項７】
前記回転数センサは、自動車の回転数センサである、
請求項１乃至６のいずれか一項に記載の方法。
【請求項８】
回転数センサを動作させるための装置であって、
前記回転数センサは、信号発生器リングと、信号受信器とを有し、
前記信号発生器リングは、当該信号発生器リングの周囲に交互の磁気配向で均等に分散配置された複数の磁石要素を有し、
前記信号受信器は、前記磁石要素の磁界を検出するための少なくとも２つのセンサ素子（ＳＬ，ＳＭ，ＳＲ）を有し、
前記センサ素子（ＳＬ，ＳＭ，ＳＲ）同士は、相互に均等な間隔をおいて配置されており、
前記装置は、前記センサ素子（ＳＬ，ＳＭ，ＳＲ）によって検出された磁界強度に依存して情報ビットを生成し、回転数情報信号として提供する制御装置を有する、
装置において、
前記制御装置は、請求項１乃至７のいずれか一項に記載の方法を実施するために構成されている、
ことを特徴とする装置。
【請求項９】
前記回転数センサは、自動車の回転数センサである、
請求項８に記載の装置。
【請求項１０】
回転数センサを有する、自動車のための回転数センサ装置であって、
前記回転数センサは、信号発生器リングと、信号受信器とを有し、
前記信号発生器リングは、当該信号発生器リングの周囲に交互の磁気配向で均等に分散配置された複数の磁石要素を有し、
前記信号受信器は、前記磁石要素の磁界強度を検出するための少なくとも２つのセンサ素子（ＳＬ，ＳＭ，ＳＲ）を有し、
前記センサ素子（ＳＬ，ＳＭ，ＳＲ）同士は、相互に均等な間隔をおいて配置されている、
回転数センサ装置において、
請求項８又は９に記載の回転数センサを動作させるための装置
を備えることを特徴とする回転数センサ装置。
【請求項１１】
前記信号受信器は、ブリッジ回路として構成されている３つのセンサ素子（ＳＬ，ＳＭ，ＳＲ）を有する、
請求項１０に記載の回転数センサ装置。
【請求項１２】
回転数センサを動作させるための方法であって、
前記回転数センサは、信号発生器リングと、信号受信器とを有し、
前記信号発生器リングは、当該信号発生器リングの周囲に交互の磁気配向で均等に分散配置された複数の磁石要素を有し、
前記信号受信器は、前記磁石要素の磁界を検出するための少なくとも２つのセンサ素子（ＳＬ，ＳＭ，ＳＲ）を有し、
前記センサ素子（ＳＬ，ＳＭ，ＳＲ）同士は、相互に均等な間隔をおいて配置されており、
前記センサ素子（ＳＬ，ＳＭ，ＳＲ）によって検出された磁界強度に依存して情報ビットを生成し、回転数情報信号として提供し、
前記信号発生器リングの特定された回転数に依存して少なくとも１つの付加回転数情報信号を生成し、信号分解能を増加させるために前記回転数情報信号に追加する、
方法において、
前記回転数情報信号を生成するために、ＡＫプロトコルを使用し、
増加された前記信号分解能の使用は、ＡＫプロトコルビットによって示される、
ことを特徴とする方法。
【請求項１３】
前記付加回転数情報信号を、特定された前記回転数が所定の限界回転数を上回るまでの間のみ生成する、
請求項１２に記載の方法。
【請求項１４】
前記付加回転数情報信号を、検出された前記磁界強度に依存して生成する、
請求項１２又は１３に記載の方法。
【請求項１５】
前記付加回転数情報信号の電流強度は、前記回転数情報信号とは異なる、
請求項１２乃至１４のいずれか一項に記載の方法。
【請求項１６】
前記信号受信器は、３つのセンサ素子（ＳＬ，ＳＭ，ＳＲ）を有するように構成されており、
前記回転数情報信号の分解能を増加させるために、前記センサ素子（ＳＬ，ＳＭ，ＳＲ）の出力信号を相互に結合させる、
請求項１２乃至１５のいずれか一項に記載の方法。
【請求項１７】
磁界強度の最大値を検出する毎に、１つの付加回転数情報信号を生成する、
請求項１２乃至１６のいずれか一項に記載の方法。
【請求項１８】
回転数センサを動作させるための装置であって、
前記回転数センサは、信号発生器リングと、信号受信器とを有し、
前記信号発生器リングは、当該信号発生器リングの周囲に交互の磁気配向で均等に分散配置された複数の磁石要素を有し、
前記信号受信器は、前記磁石要素の磁界を検出するための少なくとも２つのセンサ素子（ＳＬ，ＳＭ，ＳＲ）を有し、
前記センサ素子（ＳＬ，ＳＭ，ＳＲ）同士は、相互に均等な間隔をおいて配置されており、
前記装置は、前記センサ素子（ＳＬ，ＳＭ，ＳＲ）によって検出された磁界強度に依存して情報ビットを生成し、回転数情報信号として提供する制御装置を有する、
装置において、
前記制御装置は、請求項１２乃至１７のいずれか一項に記載の方法を実施するために構成されている、
ことを特徴とする装置。
【請求項１９】
回転数センサを有する、自動車のための回転数センサ装置であって、
前記信号発生器リングは、当該信号発生器リングの周囲に交互の磁気配向で均等に分散配置された複数の磁石要素を有し、
前記信号受信器は、前記磁石要素の磁界強度を検出するための少なくとも２つのセンサ素子（ＳＬ，ＳＭ，ＳＲ）を有し、
前記センサ素子（ＳＬ，ＳＭ，ＳＲ）同士は、相互に均等な間隔をおいて配置されている、
回転数センサ装置において、
請求項１８に記載の回転数センサを動作させるための装置
を備えることを特徴とする回転数センサ装置。
【請求項２０】
前記信号受信器は、ブリッジ回路として構成されている３つのセンサ素子（ＳＬ，ＳＭ，ＳＲ）を有する、
請求項１９に記載の回転数センサ装置。
【発明の詳細な説明】
【技術分野】
【０００１】
本発明は、特に自動車の構成部分としての回転数センサを動作させるための方法であって、前記回転数センサは、信号発生器リングと、信号受信器とを有し、前記信号発生器リングは、当該信号発生器リングの周囲に交互の配向で分散配置された複数の磁石要素を有し、前記信号受信器は、前記磁石要素の磁界を検出するための少なくとも２つのセンサ素子を有し、前記センサ素子同士は、相互に均等な間隔をおいて配置されており、前記センサ素子によって検出された磁界強度に依存して情報ビットを生成し、回転数情報信号として提供する、方法に関する。
【０００２】
本発明はさらに、回転数センサを動作させるための対応する装置と、上述した回転数センサ及び上述した装置を有する回転数センサ装置とに関する。
【背景技術】
【０００３】
従来技術
自動車工学では、安全性に関連したシステムのため、及び、種々の駆動システムを正確に制御するために、現在の回転数を把握することが重要である。特に電気機械を制御する場合には、実際の回転数との調整が非常に重要である。通常、回転数は、回転数センサによって検出される。この場合、車輪回転数情報は、特に磁気エンコーダ又は強磁性歯車の走査によって特定され、前記磁気エンコーダ又は前記強磁性歯車は、信号発生器リングとして構成されており、前記信号発生器リングは、当該信号発生器リングの周囲に均等に分散配置された複数の磁石要素、特に永久磁石を有し、前記複数の磁石要素、特に永久磁石は、それぞれ交互の磁気配向を有する。ハウジングに固定的に配置された１つ又は複数のセンサ素子によって、信号発生器リングの回転時に磁石要素の磁界が検出され、制御装置の電流インタフェースによって、それぞれ検出された磁界の強度に依存して出力電流が提供され、回転数情報信号として使用される。
【０００４】
この場合、回転数情報は、磁界方向が変化する毎に提供される。従って、回転数信号の分解能は、実質的に信号発生器リングの磁石要素の個数に依存している。
【発明の概要】
【課題を解決するための手段】
【０００５】
発明の開示
請求項１の特徴を有する本発明による方法によれば、基本的に磁石要素の個数及び配置に依存している回転数情報の信号分解能又は分解能が、信号発生器リングの磁石要素の個数及び配置に関係なく増加する、又は、信号発生器リングの磁石要素の個数及び配置に対して相対的に増加する、という利点が達成される。本発明によれば、回転数情報信号にさらに別の情報が追加及び提供され、このさらに別の情報が、距離分解能の増加をもたらす。本発明によれば、特に信号発生器リングの特定された回転数に依存して少なくとも１つの付加回転数情報信号が生成され、回転数情報信号に追加される。付加回転数情報信号を、特定された回転数に依存して追加することによって、この付加回転数情報信号がもはや必要でない領域では、従来の回転数情報信号との重ね合わせによってこの付加回転数情報信号が省略され、この付加回転数情報信号が必要とされる領域、特に低回転数領域では、この付加回転数情報信号が提供される。好ましくは、前記付加回転数情報信号は、付加情報ビットとして特に回転数情報信号の中に供給される。
【０００６】
特に、前記付加回転数情報信号は、特定された前記回転数が所定の限界回転数又は所定の閾値速度を上回るまでの間のみ生成される。これによって回転数分解能は、限界回転数を下回る回転数領域でのみ提供される。これにより、特に信号発生器リングが自動車の電気的な駆動機械に対応付けられている場合には、自動車の走行速度が緩慢である場合でも、駆動機械の回転数及び自動車の走行距離を特に正確に特定することが可能となる。本方法は、特に駐車プロセス、特に自動運転による駐車プロセスが実施される場合に実施される。本方法によれば、例えば０乃至５０ｋｍ／ｈの低速度領域では、インタフェース周波数が増倍されるが、例えば５０ｋｍ／ｈを超える比較的高速度領域、特に限界回転数を上回る領域では、基本インタフェース周波数が存在し、この基本インタフェース周波数は、回転数／速度がさらに増加しても確実な結果を供給する。付加情報のフェードアウトは、情報パケット“ビットプロトコルを含むスピードパルス”全体を省略することによって実施することができ、又は、データビット／情報ビットを順次に省略して最後にスピードパルスを省略することによって実施することができる。
【０００７】
特に好ましくは、前記付加回転数情報信号は、検出された前記磁界強度に依存して生成される。このようにして限界値を設定することにより、１つ又は複数のそれぞれ異なる磁界強度において付加情報ビット又は付加回転数情報信号が追加的に出力され、これによって回転数情報が増加する。
【０００８】
特に好ましくは、前記付加回転数情報信号は、前記情報ビットの電流強度とは異なる電流強度で生成される。これによって回転数情報信号の評価時に、情報ビットと追加的な付加情報ビットとを簡単に区別することが可能となる。
【０００９】
特に好ましくは、前記回転数情報信号を生成するために、ＡＫプロトコルが使用される。回転数センサによって生成される例えばＩＬ＝７ｍＡの典型的なインタフェース電流は、回転数情報信号において信号情報として「低」を生成し、ＩＭ＝１４ｍＡの典型的なインタフェース電流は、ビット情報のために中程度の電流を生成し、ＩＨ＝２８ｍＡのインタフェース電流は、信号情報として同期パルスを生成する。付加情報ビットのインタフェース電流は、有利には、上記の電流値の間に位置している。好ましくは、付加情報ビットによってＩＺ＝２１ｍＡのインタフェース電流がもたらされる。
【００１０】
さらに好ましくは、前記回転数センサ又は前記信号受信器は、３つのセンサ素子を有し、前記回転数情報信号の分解能を増加させるために、前記センサ素子の出力信号が相互に結合される。選択する結合に応じて、回転数信号の分解能をそれぞれ異なる程度まで増加させることができる。選択した１つ又は複数の結合により、個々のブリッジの信号推移に加えて、例えば回転方向情報のようなさらに別の情報が供給され、このさらに別の情報によって、回転数情報信号の評価が改善又は促進される。
【００１１】
本発明の好ましい１つの実施形態によれば、磁界強度の最大値（負及び／又は正）の検出時に、付加情報ビットが生成される。これによってＡＫプロトコルは、一般的に検出されるゼロ交差に加えて、検出された磁気利得の最大値に関する情報もさらに提供し、これによって、回転数情報の分解能が少なくとも２倍になり、このことは、上述したように特に低速度時に、既に述べた利点をもたらす。
【００１２】
請求項８に記載の特徴を有する本発明による装置は、前記制御装置が、本発明による方法を実施するために特別に構成されていることを特徴とする。これによって既に述べた利点が得られる。さらなる特徴及び利点は、上述した説明及び請求項から得られる。
【００１３】
請求項９に記載の特徴を有する本発明による回転数センサ装置は、本発明による装置を特徴とする。この場合、回転数センサ装置に関して上述した利点が得られる。さらなる特徴及び利点は、上述した説明及び請求項から得られる。
【００１４】
特に好ましくは、前記信号受信器は、特にブリッジ回路として構成されている３つのセンサ素子を有する。特にブリッジ回路の信号出力を結合させることにより、回転数情報信号の分解能がさらに増加する。
【００１５】
以下、本発明を、図面に基づいてより詳細に説明する。
【図面の簡単な説明】
【００１６】
【図１】追加的な回転数情報信号を生成するための方法を示す図である。
【図２】回転数センサ装置の概略図である。
【図３】公知の方法を示す図である。
【図４】本方法の発展形態を示す図である。
【発明を実施するための形態】
【００１７】
一般的に、車輪又は駆動機械の回転数は、回転数センサによって非接触に特定される。この場合には、回転要素に、信号発生器リングの形態のエンコーダを対応付けることが知られている。信号発生器リングは、当該信号発生器リングの周囲に均等に分散配置された多数の磁石要素を有し、これら多数の磁石要素は、交互の磁気配向で配置されている。信号発生器リングには、ハウジング側に少なくとも２つの固定されたセンサ要素が対応付けられており、これらのセンサ要素は、磁石要素によって生成された磁界を検出することができる。信号発生器リングが回転すると、センサ素子によって検出される磁界強度が変化し、これによって例えば、図１に示された信号推移ＳＲ及びＳＬが生成される。
【００１８】
図１は、２つのセンサ素子ＳＲ、ＳＬ、即ち、右側のセンサ素子（Ｒ）及び左側のセンサ素子（Ｌ）を含む回転数センサ装置の１つの実施例を示す。センサ素子同士の相互間隔と、隣り合う磁石要素同士の相互間隔とに起因して、図示された磁界強度が生成される。公知のＡＫプロトコルを使用することにより、電流インタフェースによって、検出された磁界強度に依存して回転数情報信号が提供される。回転数センサ装置によって提供されるＩＬ＝７ｍＡの典型的なインタフェース電流は、制御装置において信号情報として「低」を生成し、ＩＭ＝１４ｍＡの典型的なインタフェース電流は、ビット情報のための中程度の電流を生成し、ＩＨ＝２８ｍＡのインタフェース電流は、信号情報として同期パルスを生成する。
【００１９】
このことは、図３に例示的に図示されている。信号発生器リングのＮ極から隣り合うＳ極に変化する毎に、又は、Ｓ極からＮ極に変化する毎に、即ち、磁界の向きが変化する毎に、回転数情報が生成される。従って、回転数及び距離情報の分解能は、信号発生器リングの磁石要素の個数によって制限されている。以下で説明される方法によれば、回転数情報信号の分解能が増加し、これによって緩慢な回転数の場合にも、走行距離に関してより正確な情報が提供される。従って、本方法は、例えば自動車の自動運転による駐車プロセスにおいて、又は、いわゆる遠隔制御による駐車において使用することができる。この場合、情報ビット０乃至８のうちの１つを、付加情報ビットとして利用することができる。
【００２０】
本実施例によれば、回転数情報信号の分解能を増加させるために３つのセンサ素子が設けられており、既に上述した２つのセンサ素子ＳＲ及びＳＬに関連してさらに別の１つのセンサ素子ＳＭが設けられており、この別の１つのセンサ素子ＳＭは、２つのセンサ素子ＳＲとＳＬとの間に位置しており、両方のセンサ素子に対して等間隔をおいて配置されている。従って、これら３つのセンサ素子は、特に空間的に相互に分離されており、相互に均等な間隔をおいて配置されている。有利には、さらに別のセンサ素子を追加することも可能である。センサ素子は、ホールセンサ、ＧＭＲセンサ、ＡＭＲセンサ、又は、ＴＭＲセンサとして構成することができる。特に、外側の２つのセンサ素子は、中央のセンサ素子ＳＭに対して所定の間隔をおいて配置されている。さらに別のセンサ素子を追加する場合には、これらのセンサ素子も、既存のセンサ素子に対して等距離に配置すべきである。
【００２１】
本実施例によれば、これら３つのセンサ素子は、図２に示されているようにハーフブリッジの形態で構成されている。個々のブリッジの出力信号は、電流インタフェースＳＳのアナログデジタル変換器Ａ／Ｄに供給される。電流インタフェースＳＳは、診断モジュールＤと、ゼロ交差検出装置Ｎと、回転方向検出器ＤＲとを含む。その結果として、プロトコルＰの形態の回転数情報信号が提供される。個々のセンサ素子ＳＬ、ＳＭ及びＳＲ、又は、これらのセンサ素子の組み合わせの評価は、ゼロ交差だけでなく、これに加えて個々のセンサ素子又はこれらのセンサ素子の組み合わせの結果も回転数情報信号にマッピングされるように、電流インタフェースＳＳに印加される。これによって、回転数情報信号の元々の信号周波数、ひいては信号分解能又は情報内容が２倍、３倍又は４倍になる。増加された信号分解能の使用は、特にＡＫプロトコルビットによって示される。プロトコル遷移は、一般的にＡＫプロトコルにおいて定義されているように、高速度時には影響を受けない。これに加えて又はこれに代えて、有利には、複数のスイッチング閾値が固定的に導入され、又は、外部の刺激信号の大きさに依存して導入される。スイッチング閾値の各々が超過されると、回転数センサ装置は、幅広の出力パルスを生成し、この幅広の出力パルスによって回転数情報信号の分解能がさらに増加する。スイッチング閾値は、プログラミング可能に又は適応的に設定することができる。
【００２２】
回転数センサ装置を、角度センサとして構成することも考えられ、この角度センサは、磁石要素のそれぞれの磁極対によって現在の角度を測定し、特定の位置で、例えば３０°毎に（１組の極性対につき従来のように２つではなく６つのエッジ／パルス）、エッジ変更又はパルスを出力する。
【００２３】
これに代えて又はこれに加えて、例えばホールセンサ及びｘＭＲセンサのように、複数の異なるセンサ技術を回転数センサ装置に統合することが考えられる。複数の異なるセンサ技術は、磁石要素によってそれぞれ供給される磁界のそれぞれ異なる成分に対して感受性を有しており、これらの成分が相互に位相オフセットを有していることに利点がある。これにより、それぞれ磁気的なゼロ交差において、ひいては信号の最も急峻な位置においてスイッチングが可能となり、これによって良好なジッタと、距離分解能の倍増とが可能となる。これに加えて、ゼロ交差においても、及び、磁気信号の即ち検出された磁界強度の最大値又は最小値においても、追加的な情報としてパルス又はビットを生成することが考えられる。
【００２４】
回転数情報信号の分解能を増加させるために、以下の解決策が提案される。
【００２５】
分解能を２倍にする場合には、ゼロ交差、即ち、磁界方向の変化の検出及び評価に加えて、最大値又は最小値の到達が検出され、出力信号として出力される。
【００２６】
分解能を２倍にする場合にはさらに、これに代えて又はこれに加えて、追加的な出力信号が結果的に得られるようにセンサ素子ＳＬ、ＳＭ、及びＳＲの信号推移が結合される。さらなる信号の結合と、その評価とによって、回転方向の特定が可能となる。センサ素子の信号を適切に結合させることにより、分解能の倍増を表現することができ、出力信号として出力することができる。分解能を３倍にする場合には、図２の実施例から出発して、それぞれのセンサ素子ＳＬ、ＳＭ、ＳＲによって検出されたゼロ交差が出力信号として出力部に供給されるように、ハーフブリッジのそれぞれのタップが評価される。
【００２７】
図２の構成に基づいて分解能を６倍にする場合には、センサ素子ＳＬ、ＳＭ、ＳＲのみによってそれぞれ検出されたゼロ交差が出力信号として検出されるように、かつ、これに加えて最大値の到達が検出され、出力信号として出力されるように、ハーフブリッジのそれぞれのタップが評価される。
【００２８】
図２の構成に基づいて分解能をさらに増加させる場合には、等距離に配置されたさらなるセンサ素子が設けられる。これに加えて、個々のセンサ素子のゼロ交差の評価の他に、最大値／最小値を検出して、評価することもできる。
【００２９】
特に、速度閾値を設定可能な変数が規定される。速度閾値は、有利には個々のプロジェクトに応じて制御装置又は構成要素において規定することができる。０ではない速度閾値が規定される場合には、速度が速度閾値以下であれば常に、回転数情報信号の分解能を増加させるために上述した方法が実施され、少なくとも１つの付加情報ビットがセットされる。速度閾値を上回る場合には、付加情報ビットは、もはや回転数情報信号に追加されない。特に好ましくは、分解能の増加と通常の動作との間における振動を回避するために、速度閾値に対してヒステリシスが適用される。
【００３０】
本方法を、有利には速度閾値又は限界回転数によって制限された下方の速度領域に制限することによって、低回転数又は低速度の場合には、回転数情報信号の分解能が増加することが保証され、高速度の場合には、回転数情報の確実な伝送をさらに保証可能であることが保証される。約５ｋＨｚの磁気周波数を超えると、ＡＫプロトコルは、もはや情報の確実な伝送を保証することができない。このことは、典型的には５０μｓであるプロトコルビットの信号幅に起因している。信号のために「高」及び「低」が基礎として使用される場合には、１００μｓの周期が生成される。このことは、ＡＫインタフェースにおける１０ｋＨｚの電気周波数と、５ｋＨｚの磁気周波数とに相当する。
【００３１】
従って、本方法によれば、低速度／低回転数の場合には、回転数センサ装置の電流インタフェースＳＳによって付加情報ビットが提供され、例えばこれまで使用されてきたＡＫプロトコルに影響を与えることなく制御装置に伝送される。付加情報ビットは、磁束密度の推移と、回転数センサにおけるセンサ素子ＳＬ、ＳＭ、ＳＲの特別な配置（個数及び空間位置）とによって導かれて、距離分解能（ティック）の増加をもたらす。
【００３２】
図４は、本提案の方法によって生成された、ＩＺ＝２１ｍＡのインタフェース電流を生成する付加回転数情報信号Ｚを例示的に示す。付加回転数情報信号を供給するために、既に上述したように情報ビットの１つを付加情報ビットとして利用することができる。このことは、もちろん単なる例示に過ぎず、付加情報ビットに対して他の電流値を選択することも可能である。
【００３３】
既に上述したように、低回転数又は低速度の場合には、回転数情報信号が、さらに別の情報によって、又は、付加回転数情報信号Ｚによって、又は、付加情報ビットによって補充され、これらによって本実施例では、距離分解能が３倍に増加する。比較的高速度の場合、特に５０ｋｍ／ｈを上回る場合には、付加回転数情報信号は、再び信号流から取り出される。
【００３４】
付加回転数情報信号又は「さらに別の情報パルス」は、例えば図３に示されているように、物理的に６０°の信号発生器リング角度毎に、信号情報に組み込まれる。他のエンコーダ角度／信号発生器リング角度が選択された場合には、（周波数に応じて）角度又は時間による対応する除算が実施される。回転数情報パルスＩＨ（ゼロ交差パルス）及びビット合計（１４ｍＡ）は、典型的なインタフェース周波数の場合には、固定的な時間窓を有するパルスパケットを表す。付加回転数情報信号は、エンコーダ角度に対応付けられ、速度閾値を上回るまで、対応する振幅（本実施例では２１ｍＡ）によってＡＫプロトコルにおける対応する位置に追加される。速度が増加するにつれて、電流インタフェースＳＳにおける信号の周波数が増加する。この場合、インタフェース周波数が増加するにつれて、付加回転数情報信号がＡＫパルスパケットに近づく。このことは、ＡＫプロトコルのＡＫパルスパケットに対する固定的な時間に起因している。ここで、付加回転数情報信号が最大５０μｓのＡＫパルスパケットに近づくと、まず始めに付加回転数情報信号がインタフェース情報からフェードアウトされ、このために好ましくは、付加回転数情報信号の乱雑なスイッチオン・オフを回避するために、周波数ヒステリシスが設けられている。基本的に、比較的高周波数の場合には、付加情報ビットを有する信号をビットパケットの中に「挿入」することも可能である。
【図１】
0006609033.tif 000002
【図２】
0006609033.tif 000003
【図３】
0006609033.tif 000004
【図４】
0006609033.tif 000005